(57)【要約】      （修正有）【課題】植栽用保水容器を提供する。【解決手段】植栽用保水容器１は、少なくとも１つの植木鉢１０及び植木鉢に対応する上蓋２０を備える。植木鉢の開口部は上向きであり、内部には第一収容空間１１を有し、第一収容空間の上部の辺縁には接合リップ１２が周設される。上蓋の開口部は下向きであり、内部には第二収容空間２１を有し、第二収容空間の底部の辺縁には接合リップに接合される密着部２２が周設される。上蓋が植木鉢に蓋をした後に第一収容空間及び第二収容空間が緊密に連通され、且つ上蓋の上部には開口部２０１が設けられ、植栽が挿入される。第一収容空間には植栽用の水が保存され、第二収容空間は植栽用保水容器が揺れたり傾斜した際に植栽用の水が揺れて空間に噴水され、植栽用の水が流失するのを有効的に防止させ、且つ植栽が折れる危険性を低下させる。【選択図】図１
0003217630.tif 000002
【実用新案登録請求の範囲】
【請求項１】
開口部が上向きであり、内部に第一収容空間を有し、前記第一収容空間の上部の辺縁には接合リップが周設される植木鉢と、
開口部が下向きであり、内部に第二収容空間を有し、前記第二収容空間の底部の辺縁には前記接合リップに接合される密着部が周設される上蓋であって、前記上蓋が前記植木鉢に蓋をした後に前記第一収容空間及び第二収容空間が緊密に連通され、且つ前記上蓋の上部には開口部が設けられることと、を備えることを特徴とする植栽用保水容器。
【請求項２】
前記開口部の辺に沿って若干のノッチが設けられることを特徴とする請求項１に記載の植栽用保水容器。
【請求項３】
前記ノッチの周囲には凹部が設けられることを特徴とする請求項２に記載の植栽用保水容器。
【請求項４】
前記接合リップには水平に延伸される下フラップが設けられ、前記密着部には水平に延伸される上フラップが設けられ、前記上フラップの底面には前記下フラップを嵌合させるための嵌め込み溝が設けられることを特徴とする請求項１に記載の植栽用保水容器。
【請求項５】
前記下フラップには少なくとも１つの第一位置決め部が設けられ、前記上フラップには前記第一位置決め部に対応する少なくとも１つの第二位置決め部が設けられ、前記第一位置決め部及び前記第二位置決め部は対合して係合される造型を呈することを特徴とする請求項４に記載の植栽用保水容器。
【請求項６】
前記開口部は上向きであり、内部に第一収容空間を有し、前記第一収容空間の上部の辺縁には接合リップが周設され、各接合リップの間には水平に延伸される下フラップが設けられ、各接合リップが前記下フラップにより固定される複数の植木鉢と、
開口部は下向きであり、内部に第二収容空間を有し、前記第二収容空間の底部の辺縁には前記接合リップに接合される密着部が周設される前記植木鉢と同数量の上蓋であって、前記上蓋が前記植木鉢に蓋をした後に前記第一収容空間及び第二収容空間が緊密に連通され、且つ前記上蓋の上部には開口部が設けられ、各密着部の間には水平に延伸される上フラップが設けられ、各密着部が前記上フラップにより固定され、前記上フラップの底面には下フラップを嵌合させるための嵌め込み溝が設けられることとを備えることを特徴とする植栽用保水容器。
【請求項７】
前記開口部辺に沿って若干のノッチが設けられることを特徴とする請求項６に記載の植栽用保水容器。
【請求項８】
前記ノッチの周囲には凹部が設けられることを特徴とする請求項７に記載の植栽用保水容器。
【請求項９】
前記下フラップには少なくとも１つの第一位置決め部が設けられ、前記上フラップには前記第一位置決め部に対応する少なくとも１つの第二位置決め部が設けられ、前記第一位置決め部及び前記第二位置決め部は対合して係合される造型を呈することを特徴とする請求項６に記載の植栽用保水容器。
【考案の詳細な説明】
【技術分野】
【０００１】
本考案は、保存輸送用の容器に関し、更に詳しくは、植栽の包装、保存、輸送に用いられる植栽用保水容器に関する。
【背景技術】
【０００２】
草花の植栽は高い経済価値がある重要な産業であり、育成栽培過程では細心の注意を払う必要があるほか、育成の完成した或いは一定程度育成した植栽は往々にして産業上の需要に応じて移動、保存、輸送、展示、販売等を行う。
【考案の概要】
【考案が解決しようとする課題】
【０００３】
ところが、これらの過程において、長距離輸送または長時間保存の問題が発生する。陸送、空輸、海運に限らず、輸送及び保存過程において往々にして植栽を傷付けてしまい、植栽のその後の生長や経済的価値に影響が及ぶことがあった。特に長距離輸送では、植栽の品質を保つためには保水及び栄養を与える必要があるという問題があり、このため、植栽の輸送には大量の人的コスト及び保水材料のコストがかかった。また、使用する保水材料のために操業コストが大幅に増加し、保水材料の包装及び荷解き過程が煩雑であるため人的コストが増加する問題も発生した。
【０００４】
そこで、本考案者は上記の欠点（即ち、植栽の保水の必要並びに輸送または移動過程で発生する問題）が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、構造が単純であり、使用が便利であり、極めて好ましい保水効果を有する植栽用保水容器を提供することを主目的とする。
【課題を解決するための手段】
【０００６】
上記課題を解決するために、本考案の植栽用保水容器は、
開口部が上向きであり、内部に第一収容空間を有し、前記第一収容空間の上部の辺縁には接合リップが周設される植木鉢と、
開口部が下向きであり、内部に第二収容空間を有し、前記第二収容空間の底部の辺縁には前記接合リップに接合される密着部が周設される上蓋であって、前記上蓋が前記植木鉢に蓋をした後に前記第一収容空間及び第二収容空間が緊密に連通され、且つ前記上蓋の上部には開口部が設けられることとを備える。
【０００７】
これにより、第一収容空間には植栽の底部が収納されると共に植栽用の水が保存される。また、第二収容空間により植栽用の水が溢れ出すことが防止され、植栽の上半部が保護される。
【０００８】
好ましくは、前記開口部の辺に沿って若干のノッチが設けられ、植栽の納入操作がより便利になる。
【０００９】
好ましくは、前記ノッチの周囲には凹部が設けられ、不用意に溢れ出した水が逐次回流される。
【００１０】
好ましくは、前記接合リップには水平に延伸される下フラップが設置され、前記密着部には水平に延伸される上フラップが設置され、前記上フラップの底面には下フラップを嵌合させるための嵌め込み溝が設けられ、前記植木鉢と前記上蓋との間の接合がより堅固になり、水密性が高まる。
【００１１】
好ましくは、前記下フラップには少なくとも１つの第一位置決め部が設けられ、前記上フラップには前記第一位置決め部に対応する少なくとも１つの第二位置決め部が設けられ、前記第一位置決め部及び前記第二位置決め部は対合して係合される造型を呈し、下フラップと上フラップとの間の相互の定位効果が強化される。
【００１２】
また、本考案の他の目的は、構造が単純であり、且つ輸送及び使用が便利であり、極めて好ましい保水効果を有する植栽用保水容器を提供することにある。
【００１３】
上記目的を達成するために、本考案の植栽用保水容器は、
開口部は上向きであり、内部に第一収容空間を有し、前記第一収容空間の上部の辺縁には接合リップが周設され、各接合リップの間には水平に延伸される下フラップが設けられ、各接合リップが前記下フラップにより固定される複数の植木鉢と、
開口部は下向きであり、内部に第二収容空間を有し、前記第二収容空間の底部の辺縁には前記接合リップに接合される密着部が周設される前記植木鉢と同数量の上蓋であって、前記上蓋が前記植木鉢に蓋をした後に前記第一収容空間及び第二収容空間が緊密に連通され、且つ前記上蓋の上部には開口部が設けられ、各密着部の間には水平に延伸される上フラップが設けられ、各密着部が前記上フラップにより固定され、前記上フラップの底面には下フラップを嵌合させるための嵌め込み溝が設けられることとを備える。
【００１４】
これにより、各植木鉢と対応する上蓋との間に良好な水密性が得られ、植栽用の水が揺れたり傾倒した際に溢れ出すことが防止され、且つ植栽が保護される。また、複数組の植木鉢及び上蓋を対応させて設置可能であり、且つ上フラップ及び下フラップで形成される構造と組み合わせることにより、植栽用保水容器が更に倒れにくくなる。
【００１５】
好ましくは、前記開口部の辺に沿って若干のノッチが設けられ、植栽の納入操作がより便利になる。
【００１６】
好ましくは、前記ノッチの周囲には凹部が設けられ、不用意に溢れ出した水が逐次回流される。
【００１７】
好ましくは、前記下フラップには少なくとも１つの第一位置決め部が設けられ、前記上フラップには前記第一位置決め部に対応する少なくとも１つの第二位置決め部が設けられ、前記第一位置決め部及び前記第二位置決め部は対合して係合される造型を呈し、下フラップと上フラップとの間の相互の定位効果が強化される。
【考案の効果】
【００１８】
一般的な植栽保水技術に比べ、最も簡単な構造で最も便利な操作方法を提供し、使用者が植栽用保水容器を手早く使用可能になる。
【図面の簡単な説明】
【００１９】
【図１】本考案の第１実施形態に係る植栽用保水容器の分解斜視図である。
【図２】本考案の第１実施形態に係る植栽用保水容器の組合わせ斜視図である  。
【図３】本考案の第１実施形態に係る植栽用保水容器の断面図である。
【図４】図３の部分拡大概略図である。
【図５】本考案の第１実施形態に係る植栽用保水容器を示す使用状態概略図（一）である。
【図６】本考案の第１実施形態に係る植栽用保水容器を示す使用状態概略図（二）である。
【図７】本考案の第２実施形態に係る植栽用保水容器の分解斜視図である。
【考案を実施するための形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００２１】
図１は本考案の第１実施形態の分解斜視図であり、図２は本考案の第１実施形態の組合わせ斜視図であり、図３は本考案の第１実施形態の断面図である。図示されるように、植栽用保水容器１は複数の植木鉢１０、及び前記植木鉢１０と同数量の上蓋２０を備える。
【００２２】
各植木鉢１０の開口部は上向きであり、内部には第一収容空間１１を有し、前記第一収容空間１１の上部の辺縁には接合リップ１２が周設される。各接合リップ１２の間には水平に延伸される下フラップ１３が設置され、各接合リップ１２が前記下フラップ１３により固定される。
【００２３】
各上蓋２０の開口部は下向きであり、内部には第二収容空間２１を有し、前記第二収容空間２１の底部の辺縁には前記接合リップ１２に接合される密着部２２が周設される（図４参照）。前記上蓋２０が前記植木鉢１０に蓋をした後に前記第一収容空間１１及び第二収容空間２１が緊密に連通される。前記上蓋２０上部には開口部２０１が設けられ、開口部２０１の辺に沿って若干のノッチ２０２が設けられ、前記ノッチの周囲には凹部２０３が設けられ、不用意に溢れ出した水が逐次回流される。各密着部２２の間には水平に延伸される上フラップ２３が設置され、各密着部２２が前記上フラップ２３により固定される。前記上フラップ２３の底面には下フラップ１３を嵌合させるための嵌め込み溝２４が設けられる。
【００２４】
下フラップ１３には少なくとも１つの第一位置決め部１３１が設けられ、前記上フラップ２３には前記第一位置決め部１３１に対応する少なくとも１つの第二位置決め部２３１が設けられ、前記第一位置決め部１３１及び前記第二位置決め部２３１は対合して係合される造型を呈する。
【００２５】
図５は本考案の第１実施形態に係る植栽用保水容器を示す使用状態概略図（一）であり、図６は本考案の第１実施形態に係る植栽用保水容器を示す使用状態概略図（二）である。図示されるように、各植木鉢１０と対応する上蓋２０との間は接合リップ１２により密着部２２に係合され、第一収容空間１１と第二収容空間２１との間に良好な水密効果が生まれ、第一収容空間１１に植栽の底部が収納されると共に植栽用の水が保存される。また、第二収容空間２１により植栽用の水が溢れ出すことが防止され、且つ植栽の上半部が保護される。植栽用の水が揺れたり、傾倒した際に溢れ出すことが防止されるのみならず、植栽が更に保護される。次いで、上フラップ２３及び下フラップ１３の組み合わせにより、植木鉢１０と上蓋２０との間が容易に脱落しなくなり、且つ上フラップ２３及び下フラップ１３で形成される全体的な構造との組み合わせより、植栽用保水容器１が容易に傾倒しなくなる。植栽の移動、保存、輸送、展示、販売を行う際により好ましい保水及び保護効果が得られ、且つ構造が単純であり、使用者は工具を使用せずに素早く包装及び荷解きを行うことができる。
【００２６】
図７は本考案の第２実施形態に係る植栽用保水容器の分解斜視図である。図示されるように、本考案に係る植栽用保水容器１の植木鉢１０及び上蓋２０の設置数は需要に応じて調整可能であり、例えば、整列方式で対になって配列されると、植栽用保水容器１がより堅固に収納する効果が得られる。実際の応用においては、単一の植木鉢１０に単一の上蓋２０を組み合わせて実施してもよい。
【００２７】
以上の第１実施形態及び第２実施形態に係る植栽用保水容器１の図面及び説明は、本考案の好ましい実施方式の例にすぎず、本考案を制限するものではなく、実際の実施においては透明なプラスチック材料を採用して使用者が植栽用保水容器１内部の状況を直接観察可能にしてもよく、植木鉢１０または上蓋２０の表面に構造を強化するための若干のエンボス加工や構造補強用エンボスを設置させ、植栽用保水容器１の構造強度を高めてもよい。
【００２８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２９】
１  植栽用保水容器
１０  植木鉢
１１  第一収容空間
１２  接合リップ
１３  下フラップ
１３１  第一位置決め部
２０  上蓋
２０１  開口部
２０２  ノッチ
２０３  凹部
２１  第二収容空間
２２  密着部
２３  上フラップ
２３１  第二位置決め部
２４  嵌め込み溝
【図１】
0003217630.tif 000003
【図２】
0003217630.tif 000004
【図３】
0003217630.tif 000005
【図４】
0003217630.tif 000006
【図５】
0003217630.tif 000007
【図６】
0003217630.tif 000008
【図７】
0003217630.tif 000009
【手続補正書】
【提出日】平成30年6月21日(2018.6.21)
【手続補正１】
【補正対象書類名】実用新案登録請求の範囲
【補正対象項目名】全文
【補正方法】変更
【補正の内容】
【実用新案登録請求の範囲】
【請求項１】
開口部が上向きであり、内部に第一収容空間を有し、前記第一収容空間の上部の辺縁には接合リップが周設される植木鉢と、
開口部が下向きであり、内部に第二収容空間を有し、前記第二収容空間の底部の辺縁には前記接合リップに接合される密着部が周設される上蓋であって、前記上蓋が前記植木鉢に蓋をした後に前記第一収容空間及び第二収容空間が緊密に連通され、且つ前記上蓋の上部には開口部が設けられることと、を備えることを特徴とする植栽用保水容器。
【請求項２】
前記開口部の辺に沿って若干のノッチが設けられることを特徴とする請求項１に記載の植栽用保水容器。
【請求項３】
前記ノッチの周囲には凹部が設けられることを特徴とする請求項２に記載の植栽用保水容器。
【請求項４】
前記接合リップには水平に延伸される下フラップが設けられ、前記密着部には水平に延伸される上フラップが設けられ、前記上フラップの底面には前記下フラップを嵌合させるための嵌め込み溝が設けられることを特徴とする請求項１に記載の植栽用保水容器。
【請求項５】
前記下フラップには少なくとも１つの第一位置決め部が設けられ、前記上フラップには前記第一位置決め部に対応する少なくとも１つの第二位置決め部が設けられ、前記第一位置決め部及び前記第二位置決め部は対合して係合される造型を呈することを特徴とする請求項４に記載の植栽用保水容器。
【請求項６】
開口部は上向きであり、内部に第一収容空間を有し、前記第一収容空間の上部の辺縁には接合リップが周設され、各接合リップの間には水平に延伸される下フラップが設けられ、各接合リップが前記下フラップにより固定される複数の植木鉢と、
開口部は下向きであり、内部に第二収容空間を有し、前記第二収容空間の底部の辺縁には前記接合リップに接合される密着部が周設される前記植木鉢と同数量の上蓋であって、前記上蓋が前記植木鉢に蓋をした後に前記第一収容空間及び第二収容空間が緊密に連通され、且つ前記上蓋の上部には開口部が設けられ、各密着部の間には水平に延伸される上フラップが設けられ、各密着部が前記上フラップにより固定され、前記上フラップの底面には下フラップを嵌合させるための嵌め込み溝が設けられることとを備えることを特徴とする植栽用保水容器。
【請求項７】
前記開口部辺に沿って若干のノッチが設けられることを特徴とする請求項６に記載の植栽用保水容器。
【請求項８】
前記ノッチの周囲には凹部が設けられることを特徴とする請求項７に記載の植栽用保水容器。
【請求項９】
前記下フラップには少なくとも１つの第一位置決め部が設けられ、前記上フラップには前記第一位置決め部に対応する少なくとも１つの第二位置決め部が設けられ、前記第一位置決め部及び前記第二位置決め部は対合して係合される造型を呈することを特徴とする請求項６に記載の植栽用保水容器。